(57)【要約】【課題】歯垢除去効果を高めるために、毛束の高さに段差を設けた歯ブラシが市販されているが、使用者の歯の高さに応じた毛束の高さの段差が得られるように、使用者自身が毛束の上端を切り揃える場合に使用される補助具を提供することである。【解決手段】植毛台２の両側部２ａ、２ａに沿う対向壁１３、１3間に切り揃えのための基準バー９ａ、９ｂを設け、前記対向壁１３、１３を植毛台２に被せ、基準バー９ａ、９ｂから上方に突き出した内側毛束列６の先端部をその基準バー９ａ、９ｂに沿って切り揃えるようにした。【選択図】図２
2007029273.tif 000002
【特許請求の範囲】
【請求項１】
植毛台（２）上の外側毛束列（５）に比べ内側毛束列（６）が低くなる段差（Ｈ３）を有するように当該内側毛束列（６）の上端部を切り揃える際に使用される歯ブラシ切り揃え補助具（７）において、前記補助具（７）は前記植毛台（２）の両側部に沿う対向壁（１３）、（１３）、両対向壁間に渡る切り揃えのための基準バー（９ａ）、（９ｂ）からなり、前記対向壁（１３）、（１３）を植毛台（２）の両側部に被せ、前記基準バー（９ａ）、（９ｂ）から上方に突き出した内側毛束列（６）の先端部を前記基準バー（９ａ）、（９ｂ）に沿って切り揃えるようにしたことを特徴とする歯ブラシ切り揃え補助具。
【請求項２】
前記対向壁（１３）、（１３）の植毛台（２）先端部（２ｂ）側の端部相互が端壁（８）で連結された３面を囲む周壁（１０）を形成するようにしたことを特徴とする請求項１に記載の歯ブラシ切り揃え補助具。
【請求項３】
植毛台（２）上の内側毛束列（６）に比べ外側毛束列（５）が低くなる段差（Ｈ３）を有するように当該外側毛束列５の上端部を切り揃える際に使用される歯ブラシ切り揃え補助具（７）において、前記補助具（７）は前記内側毛束列（６）を両側から挟む２枚の対向壁（１３）、（１３）、各対向壁間に渡る切り揃えのための基準バー（９ａ）、（９ｂ）からなり、前記対向壁（１３）、（１３）の高さは前記各毛束列（５）、（６）の高さより低く形成され、前記基準バー（９ａ）、（９ｂ）の両端部（１５ａ）、（１５ｂ）が各対向壁（１３）、（１３）の外側面から外方に突き出され、前記対向壁（１３）、（１３）を内側毛束列（６）と外側毛束列（５）の列間すき間に嵌めた際に前記基準バー（９ａ）、（９ｂ）の両端部（１５ａ）、（１５ｂ）から上方に突き出た外側毛束列（５）の先端部を前記基準バー（９ａ）、（９ｂ）の両端部（１５ａ）、（１５ｂ）に沿って切り揃えるようにしたことを特徴とする歯ブラシ切り揃え補助具。
【発明の詳細な説明】
【技術分野】
【０００１】
この発明は、歯ブラシの毛束の高さを部分的に切り揃えて所望の段差をつける際に使用される切り揃え補助具に関するものである。
【背景技術】
【０００２】
歯間のすき間、歯周囲のポケット等に溜まった歯垢を効果的に除去するために、植毛台の両側に沿った外側毛束列の高さに比べ、それらに挟まれた内側毛束列の高さを若干低く形成した段差付きの毛束列を備えた歯ブラシが従来から知られている（特許文献１、２）。また、上記とは逆に、外側毛束列の高さを内側毛束列より若干低く形成した段差付きの毛束列を備えた歯ブラシも従来から知られている（特許文献３）。
【０００３】
前記のように、外側毛束列と内側毛束列の高さに段差を設けるのは、歯ブラシの植毛台を傾けて歯間のすき間や歯周囲のポケットに毛束の先端を押し当てて歯を磨く際に、背丈の高い毛束列の先端が効果的に所定の部分に当るようにするためである。
【特許文献１】特開平７−１４３９１５号公報
【特許文献２】実開平２−８９９２５号公報（第２図）
【特許文献３】特開平９−５６４７４号公報（図３、図４）
【発明の開示】
【発明が解決しようとする課題】
【０００４】
しかし、歯の高さ（歯肉から突き出している部分の高さ）や歯周ポケットの深さ等の歯の状況は人によって相違し、たとえば、歯槽膿漏等によって歯肉が後退している者と、健常者とでは歯の高さやポケットの深さに顕著な差があり、また健常者相互間においても差があるのが普通である。
【０００５】
このため、前述のような毛束の高さに段差を付けた歯ブラシを使用しようとしても、その差が一律のもののみが市場に提供されている場合は、使用者は自分の歯の状況に適合したものを入手することが困難なことが多い。また、仮に段差の大きさの相違する数種類の歯ブラシが提供されることがあったとしても、生産者の立場から見ると生産コストが高くなる問題があり、また使用者の立場においても多種類の商品の中から自己の歯の状況に適合した歯ブラシを選択することは困難である。
【０００６】
このような場合、使用者が一定高さの毛束列をもった歯ブラシを購入し、自己の歯の状況に適合する段差をもつように使用者自身が毛束列の高さを切り揃えるということに想到したとしても、毛束列に定規を当てて切り揃え高さを設定し、その高さにおいて毛束列を鋏で切断することは困難な作業であり、たとえできたとしても不揃いな切断しかできないのが実情であろうと考えられる。
【０００７】
そこで、この発明は、使用者が自己の歯の高さ、歯周ポケットの深さ等の歯の状況に合わせて使用者自身で必要な段差が得られるように切断することが容易にできる切り揃え補助具を提供することを課題とする。
【課題を解決するための手段】
【０００８】
前記の課題を解消するために、この発明に係る切り揃え補助具７は、図２（ａ）（ｂ）に示したように、植毛台２の両側部に沿う対向壁１３、１３、両対向壁１３、１３間に渡る切り揃えのための基準バー９ａ、９ｂからなり、前記対向壁１３、１３を植毛台２の両側部２ａ、２ａに被せ前記基準バー９ａ、９ｂから上方に突き出した内側毛束列６の先端部を前記基準バー９ａ、９ｂに沿って切り揃えるようにしたものである。
【０００９】
前記の切り揃え補助具は、内側毛束列６が低くなる段差を持つように内側毛束列６の全部について切り揃える際に使用される（図３（ｂ）参照）。
【００１０】
また、図５（ａ）（ｂ）に示したように、前記対向壁１３、１３の植毛台２先端部２ｂ側の端部相互が端壁８で連結され全体として平面視コ字形の周壁１０を形成するようにした構成をとることができる。この場合は、内側毛束列６のうちの端壁８に沿った毛束４ｂを残して切り揃える場合に使用される。
【００１１】
さらに、図６（ａ）（ｂ）に示したように、内側毛束列６を両側から挟む２枚の対向壁１３、１３、各対向壁１３、１３間に渡る切り揃えのための基準バー９ａ、９ｂからなり、前記対向壁１３、１３の高さは前記各毛束列５、６の高さより低く形成され、前記基準バー９ａ、９ｂの両端部１５ａ、１５ｂが各対向壁１３、１３の外側面から外方に突き出され、前記対向壁１３、１３を内側毛束列６と外側毛束列５の列間すき間に嵌めた際に前記基準バー９ａ、９ｂの両端部１５ａ、１５ｂから上方に突き出た外側毛束列５の先端部を前記基準バー９ａ、９ｂの両端部１５ａ、１５ｂに沿って切り揃えるようにした構成もとることができる。この場合は、外側毛束列５が低くなる段差を持つように切り揃えるときに使用される（図７（ｂ）参照）。
【発明の効果】
【００１２】
この発明の歯ブラシ切り揃え補助具は、使用者自身が自己の歯の状況に合わせて補助具の押し込み深さを調整し、基準バーの位置を目安にして内側毛束列又は外側毛束列の先端部を切り揃えることができる。これにより使用者が所望の段差をもって正確に切り揃えられた毛束列を有する歯ブラシを得ることができ、市販の歯ブラシの歯垢除去効果を一層向上させることができる。
【発明を実施するための最良の形態】
【００１３】
以下、この発明の実施形態に係る切り揃え補助具について説明する。この補助具は、通常図１（ａ）に示したように、歯ブラシの柄１の先端に設けられた植毛台２の植毛面３に一定高さの毛束４を植毛した歯ブラシに適用される。図１（ｂ）のように、毛束４の上端が山形凹凸になるような高さの不揃いのものであってもよい。
【００１４】
このような歯ブラシにおいて、図１（ｃ）に示したように、植毛台２の両側部２ａ、２ａ一連の毛束４を外側毛束列５と称し（図において白丸で示す。）、これ以外の毛束、即ち、外側毛束列５に挟まれた毛束４を内側毛束列６と称する（網点の丸で示す。）。図１（ｃ）に示したＸは行方向を示し、Ｙは列方向を示す。
【００１５】
〔実施形態１〕
実施形態１に係る歯ブラシ切り揃え用の補助具７は、図２（ａ）（ｂ）及び図３（ａ）（ｂ）に示したように、一対の対向壁１３、１３、切り揃え用の２本の基準バー９ａ、９ｂからなる。対向壁１３、１３は図３（ａ）に示したように、植毛台２の底面から毛束４の上端に達する高さＨを有し、植毛台２の両側部２ａ、２ａの外側面に接して着脱自在に嵌合される。一方の基準バー９ａは、植毛台２の後端（柄１側端部）に寄って設けられ、他方の基準バー９ｂは植毛台２の先端側に寄って設けられる。両者の間隔は、図２（ｂ）に示したように、植毛台２の先端部２ｂから数えて１番目と、後端部から数えて１番目の行間すき間の平均的な間隔に一致するように設定される。各基準バー９ａ、９ｂの太さは前記毛束４の行間すき間Ｓ（図１（ｃ）参照）より小さく形成される。また、各基準バー９ａ、９ｂの高さＨ１（図３（ａ）参照）は、平均的な切り揃え量Ｈ３を基準として適宜決定される。なお、図３（ａ）においてＨ２は鋏の刃の厚みを示し、１１はその鋏による切断位置を示す。
【００１６】
実施形態１の補助具７は以上のようなものであり、これを使用して歯ブラシの内側毛束列６を切り揃える方法を説明する。対象となる歯ブラシは、前述の図１（ａ）（ｂ）に示したようなものであり、対向壁１３、１３を植毛台２の両側部２ａ、２ａに合わせるとともに、先端側基準バー９ｂを先端部２ｂから１番目の行間すき間に合わせる。このとき、後端側基準バー９ａは歯ブラシの仕様の相違によって後端部から１番目の行間すき間に合致するとは限らないが、対向壁１３、１３に多少の力を加えるだけで後端側基準バー９ａは毛束４に接触し、又は接触することなく押し込まれる。その押し込みによって対向壁１３、１３の下端が植毛台２の底面に揃った標準的な状態を図３（ａ）に示す。
【００１７】
切り揃え量Ｈ３は、個人の奥歯の高さｈ（図４（ａ）参照）に一致するよう対向壁１３、１３を含む補助具７の植毛台２に対する上下方向の位置（補助具７の押し込み量）を調整することにより設定される。例えば歯の高さｈが大である場合は、図３（ａ）においてΔＨで示したように、補助具７を押し込んで植毛台２に対する位置を変更する。
【００１８】
補助具７を前記のように設置したのち、柄１側の開放部１２から鋏の刃を横向きにして基準バー９ａ、９ｂの上に沿って進め全部の内側毛束列６（図２（ｂ）に示した２箇所の一点鎖線間の内側毛束列６の全て）を切り揃える。切断位置１１は、各基準バー９ａ、９ｂの高さＨ１に鋏の刃の厚さＨ２を加えた位置である。この位置で切断することにより、Ｈ３だけ内側毛束列６が低くなった段差を有する歯ブラシが得られる（図３（ｂ）参照）。
【００１９】
なお、内側毛束列６を切り揃える際、鋏の刃の開閉に伴い両側の外側毛束列５に当ることがあるのみでこれを誤って切断することはない。また、外側毛束列５と内側毛束列６との間に列間すき間が存在することにより、鋏の刃の開閉余裕が得られる。
【００２０】
図４（ａ）（ｂ）は前記のような段差つきの毛束４を有する歯ブラシの使用方法を示している。相対的に高い外側毛束列５が、相対的に低い内側毛束列６に邪魔されることなく歯周ポケット、歯間すき間の部分の歯垢を除去することができる。
【００２１】
〔実施形態２〕
図５（ａ）（ｂ）に示した実施形態２に係る補助具７は、前記の実施形態１と基本的に共通するが、相違する点は、対向壁１３、１３の植毛台２の先端部２ｂ側の端部を端壁８によって連結し、全体として３面を囲む平面視コ字形（又は横向きＵ字形）の周壁１０を形成し、その対向壁１３、１３間に基準バー９ａ、９ｂを設けたものである。その他の構成及び作用は実施形態１と同様であるが、この補助具７を植毛台２に被せる際は、前記の端壁８が植毛台２の先端部２ｂに沿うように配置される。
【００２２】
前記の実施形態１においては、内側毛束列６の全てを切断するようにしているが、この実施形態２の場合は、図５（ｂ）の一点鎖線で示したように先端部２ｂに最も近い内側毛束列６に属する２本の毛束４ｂは切断することなくそのまま残す。端壁８の存在により、鋏の前進を阻み、又は注意を喚起することにより前記の内側毛束４ｂが切り残される。
【００２３】
このような形状に切り揃えられた歯ブラシは、前記の実施形態１と同様に、内側毛束列６に邪魔されることなく、外側毛束列５によって歯間のすき間やポケットを磨くことができる（図４（ａ）（ｂ）参照）。これに加えて、この実施形態２の場合は、図４（ｃ）に示したように、前記の切り残された先端部の内側毛束４ｂが奥歯の奥の面を磨くことができ、この部分の歯垢の除去に有効である。
【００２４】
〔実施形態３〕
図６及び図７に示した実施形態３の歯ブラシ切り揃え補助具７は、前記の場合とは逆に、外側毛束列５の先端を切り揃え、内側毛束列６が高くなるような段差を形成する場合に用いられる。この場合の補助具７は、前記の２列の内側毛束列６を両側から挟む間隔をおいて対向する２枚の対向壁１３、１３と、その対向壁１３間に渡る切り揃えのため基準バー９ａ、９ｂとからなる。前記の対向壁１３の高さＨは毛束４の高さＨ０（図７（ａ）参照）より低く設定され、その差（Ｈ０−Ｈ）は、補助具７の上下方向の移動余裕、即ち調整範囲となる。
【００２５】
植毛台２の先端側に一方の基準バー９ｂが設けられ、後端側に他方の基準バー９ａが設けられる。両者の間隔が先端から１番面の行間すき間と後端から１番面の行間すき間の間隔に一致するように設定されることは前記の各実施形態の場合と同様である。しかし、この実施形態３においては、各基準バー９ａ、９ｂの各両端部１５ａ、１５ａ及び１５ｂ、１５ｂがそれぞれ各対向壁１３の外側面から外方に突き出している。その突き出し長さは、先端が植毛台２の両側部２ａ、２ａに達するか、それより多少外側に達する程度である。
【００２６】
実施形態３の補助具７は以上のようなものであり、これを使用する際は、対向壁１３、１３を外側毛束列５と、内側毛束列６間の列間すき間に合わせるとともに、先端側基準バー９ｂを１番目の行間すき間に合わせて押し込む。その押し込み量は、基準バー９ａ、９ｂの両端部１５ａ、１５ｂから、所望の切断量Ｈ３に鋏の刃の厚さＨ２を加えた高さが突き出すところまでである（図７（ａ）参照）。その状態で安定するよう対向壁１３、１３の上方を指先で内側毛束列６とともに押さえ、対向壁１３、１３の外側において基準バー９ａ、９ｂの両端部１５ａ、１５ｂに沿い、切断位置１１において外側毛束列５の先端部を切り揃える。これによって、図７（ｂ）に示したように外側毛束列５が内側毛束列６よりＨ３だけ低くなる段差をもった歯ブラシを得ることができる。前記のＨ３を変える必要がある場合は、補助具７を一層押し込めばよい（図７（ａ）のΔＨ）。
【図面の簡単な説明】
【００２７】
【図１】歯ブラシの一部省略側面図、（ｂ）同じく他の歯ブラシの一部省略側面図、（ｃ）これらの歯ブラシの植毛台部分の平面図
【図２】（ａ）実施形態１の斜視図、（ｂ）同じく使用状態の平面図
【図３】（ａ）同上の使用状態の断面図、（ｂ）切り揃え後の歯ブラシの断面図
【図４】（ａ）から（ｃ）歯ブラシの使用状態の説明図
【図５】（ａ）実施形態２の斜視図、（ｂ）同じく使用状態の平面図
【図６】（ａ）実施形態３の斜視図、（ｂ）同じく使用状態の平面図
【図７】（ａ）同上の使用状態の断面図、（ｂ）切り揃え後の歯ブラシの断面図
【符号の説明】
【００２８】
１  柄
２  植毛台
２ａ  両側部
２ｂ  先端部
３  植毛面
４  毛束
４ａ  外側毛束
４ｂ  内側毛束
５  外側毛束列
６  内側毛束列
７  切り揃え補助具
８  端壁
９ａ  後端側基準バー
９ｂ  先端側基準バー
１０  周壁
１１  切断位置
１２  開放部
１３  対向壁
１５ａ、１５ｂ  両端部
【図１】
2007029273.tif 000003
【図２】
2007029273.tif 000004
【図３】
2007029273.tif 000005
【図４】
2007029273.tif 000006
【図５】
2007029273.tif 000007
【図６】
2007029273.tif 000008
【図７】
2007029273.tif 000009